(57)【要約】【課題】歩行しながらスマートフォンを使用中における事故発生の防止に有効的なスマートフォン用安全確認装置を提供する。【解決手段】スマートフォン１の上端部側又はスマートフォンケースの上端部側に装着する監視手段２を備える。監視手段は少なくとも前方部側の影像を上方部側の表示部に表示する映像表示手段２０を有し、前記表示部の影像を見ることにより、安全性を確認できるように構成する。監視手段は、スマートフォン又はスマートフォンケースに着脱可能又は固定して装着する。【選択図】図１
2016005177.tif 000002
【特許請求の範囲】
【請求項１】
スマートフォンの使用中における事故発生を防止するスマートフォン用安全確認装置であって、
スマートフォンの上端部側又はスマートフォンケースの上端部側に装着する監視手段を備え、
前記監視手段は、少なくとも前方部側の影像を上方部側の表示部に表示する影像表示手段を有している
ことを特徴とするスマートフォン用安全確認装置。
【発明の詳細な説明】
【技術分野】
【０００１】
本発明は、スマートフォン用安全確認装置に関する。さらに詳しくは、スマートフォンの使用中における事故の発生を防止するスマートフォン用安全確認装置に関する。
【背景技術】
【０００２】
最近、スマートフォンの普及に伴って、歩きながらスマートフォンを使用する人も増大している。それと同時に、歩きながらスマートフォンを使っていて駅のプラットホームから転落したり、自転車や自動車と接触する事故も増えている。また、歩行者とぶつかる危険も増えている。
【０００３】
上記したような事故を防止するためには、歩きながらスマートフォン（以下、単に「スマホ」と略称する場合もある）を使用しないことが最も良い方法であるが、どうしても使う必要がある場合も生じると思われる。そのため、歩きながらスマホを使用する場合には、前方部を目で見て確認することにより上記事故を防止することはできる。しかし、スマホの画面（ディスプレイ）から目を離して前方部を直接目で見て確認する動作は面倒であるため、通常は行われていない。
【０００４】
従来、スマートフォンの自立用のスタンドやスマートフォンに装着して使用する３Ｄビューアは提案されている（特許文献１、２参照）。また、歩きながらスマートフォンを使用中における事故防止の安全対策に有効的な技術の開発も試みられている。しかし、上記事故防止に有効的な技術は未だ提案されていない。
【先行技術文献】
【特許文献】
【０００５】
【特許文献１】実用新案登録第３１８５６４９号公報
【特許文献２】特開２０１２−１２９７７６号公報
【発明の概要】
【発明が解決しようとする課題】
【０００６】
本発明は上記のような実情に鑑みてなされたもので、歩行しながらスマートフォンを使用中において、前方部を目で直接見て確認することなく、簡単な動作により確認でき、もって、上記事故発生を防止できるスマートフォン用安全確認装置を提供することを目的とするものである。
【課題を解決するための手段】
【０００７】
上記目的を達成するため、本発明は、スマートフォンの使用中における事故発生を防止するスマートフォン用安全確認装置であって、
スマートフォンの上端部側又はスマートフォンケースの上端部側に装着する監視手段を備え、
前記監視手段は、少なくとも前方部側の影像を上方部側の表示部に表示する影像表示手段を有していることを特徴とする。
【０００８】
なお、本発明において、「スマートフォン」とは、多機能な携帯電話であって、携帯電話とパソコン・携帯情報端末（PDA）の機能を組み合わせたものをいう。また、「スマートフォンケース」とは、裏面壁部（背面壁部）と、この裏面壁部の左右の両側縁から前方（上方）に突出した左右の側壁部とを有し、前記裏面壁部でスマホの裏面（背面）を覆うと共に前記両側壁部でスマホの両側面を覆うように、スマホに着脱可能に装着される、硬質プラスチックやアルミ等の金属板その他の硬質板で構成したスマートフォン専用のハードケース（ハード型ケース）をいう。また、「スマートフォンケース」には、表表紙、背表紙及び裏表紙が一体に連設された手帖型表紙を備え、この手帖型表紙の裏表紙の内側面に前記ハードケースを取付けた手帖型ケースも含まれる。
さらにまた、スマートフォンケースには、軟質プラスチックその他の柔軟性を有する素材で構成したソフトケース（ソフト型ケース）もあるが、本発明においては、ソフト型ケースは好ましくない。
【０００９】
本発明において、前記監視手段の影像表示手段としては、例えば、プリズム、鏡、レンズと鏡の組み合わせ、或いは透明ガラス球や水晶球等により、光の屈折や反射による光学的原理を利用して影像を表示するように構成した影像表示手段を採用することができる。
【００１０】
また、本発明において、前記監視手段は、スマートフォン又はスマートフォンケースに着脱可能に装着するように構成することができると共に、固定して装着するように構成することもできる。
【発明の効果】
【００１１】
本発明によれば次のような作用効果を奏する。
（１）スマートフォンの使用中において、スマホの前方部側の影像は影像表示手段の表示部に表示されるので、前方部を目で直接見ることなく、前記表示部の影像を見ることにより前方部側の状況等を確認できるので、安全性を確認することができる。
（２）前記表示部はスマホの画面（ディスプレイ）の上端部側に位置して設けてあるので、スマホの画面を見ながら同時的に前記影像を見ることができる。
（３）したがって、上記（１）及び（２）により、安全性を確認しながらスマートフォンを使用できるので、スマホの使用中における事故発生を防止することができる。
【図面の簡単な説明】
【００１２】
【図１】本発明の一実施形態のスマートフォン用安全確認装置の構成を概略的に示す図であって、同図（ａ）は説明斜視図、同図（ｂ）は拡大説明縦断面図、同図（ｃ）はスマートフォンに装着した状態を示す説明平面図である。
【図２】本発明の他の実施形態のスマートフォン用安全確認装置の構成を概略的に示す図であって、同図（ａ）は説明斜視図、同図（ｂ）は拡大説明縦断面図、同図（ｂ）は拡大説明縦断面図、同図（ｃ）はスマートフォンに装着した状態を示す説明平面図である。
【図３】本発明のさらに他の実施形態のスマートフォン用安全確認装置の構成を概略的に示す図であって、同図（ａ）は説明平面図、同図（ｂ）は説明正面図、同図（ｃ）はスマートフォンに装着した状態を示す説明平面図である。
【図４】本発明のさらに他の実施形態のスマートフォン用安全確認装置の構成を概略的に示す説明斜視図である。
【図５】図５（ａ）は図４の前記装置の構成を概略的に示す説明平面図、図５（ｂ）は図４の前記装置をスマートフォンに装着した状態を示す説明平面図である。
【図６】本発明のさらに他の実施形態のスマートフォン用安全確認装置を示す図であって、同図（ａ）は説明平面図、同図（ｂ）は説明側面図である。
【図７】図６の前記装置をスマートフォンに装着した状態の構成を概略的に示す説明平面図である。
【発明を実施するための形態】
【００１３】
以下、図面を参照して本発明のスマートフォン用安全確認装置の実施形態の一例について説明する。
【００１４】
図１は本発明の一実施形態（実施形態１）を示す。実施形態１のスマートフォン用安全確認装置１００は、スマートフォン１の上端部側に着脱可能に装着して使用するように構成されている。
【００１５】
実施形態１の前記安全確認装置１００は、図１に示すように、監視手段２と、監視手段２をスマートフォン１（スマホ）の上端部に着脱可能に装着する取付け手段３とを備える。
【００１６】
監視手段２は、影像表示部２０を有している。本実施形態の影像表示手段２０は透明ガラス製や透明水晶製のプリズム２１（三角プリズム）で構成されている。プリズム２１は光の入射面２１ａ及び出射面２１ｂを有し、出射面２１ｂで表示部が構成されている。これにより、図１（ｂ）に矢印で示すように、入射面２１ａから入射した光は屈折して出射面２１ｂ（表示部）から出射するようになる。したがって、入射面２１ａの前方部側の影像は表示部（出射面２１ｂ）に表示されるように構成されている。
【００１７】
前記プリズム２１は入射面２１ａを正面側（前方側）に向けると共に出射面２１ｂ（表示部）を上方部側に向けて取付け手段３に装着される。
【００１８】
監視手段２は取付け手段３によりスマホ１の上端部に着脱可能に装着される。実施形態１の取付け手段３は、後述するスマートフォンケース４の上端部側と同様に形成され、スマホ１の上端部側の裏面（背面）を覆う裏面壁部３０と、この裏面壁部３０の左右の両側縁から前方に突出した左右の側壁部３１，３２と、両側壁部３１，３２の前端から内側方向に略直角に延設した所定長さの前壁部３３，３４と、両前壁部３３，３４の先端から外側方向へ略直角に延設した所定長さの取付壁部３５，３６とを有している。取付け手段３は、例えばプラスチックやアルミその他の金属材等で構成することができる。
【００１９】
そして、影像表示手段２０（プリズム２１）は、入射面２１ａを前方側（正面側）に向けると共に出射面２１ｂを上方部側に向けて両端部を両取付壁部３５，３６で挟持させ、接着その他の手段で両取付壁部に固定して装着されている。
【００２０】
前記取付け手段３には、後述する公知のスマートフォンケースと同様に、所要部にカメラ孔や切欠部（いずれも符号を省略）が設けてある。
【００２１】
実施形態１のスマートフォン用安全確認装置は上記のように構成され、図１（ｃ）に示すように、裏面壁部３０でスマホ１の裏面（背面）を覆うと共に両側壁部３１，３２でスマホ１の両側面を覆わせるようにして係合し、スマホの上端部に着脱可能に装着して使用される。
【００２２】
実施形態１によれば次のような作用効果を奏する。
（１）スマホの使用中において、スマホの前方部側の影像は影像表示手段（プリズム）の表示部（出射面）に表示されるので、使用者は前方部を目で直接見ることなく、前記表示部の影像を見ることにより前方部側の状況等を確認できる。
（２）前記表示部はスマホ１の画面１０（ディスプレイ）の上端部の近くに位置させて設けてあるので、スマホの画面を見ながら同時的に前記影像を見ることができる。
（３）したがって、上記（１）及び（２）により、安全性を確認しながらスマートフォンを使用できるので、スマホの使用中における危険性を回避して事故の発生を防止することができる。
【００２３】
図２は本発明の他の実施形態（実施形態２）のスマートフォン用安全確認装置を示す。実施形態２のスマートフォン用安全確認装置において、実施形態１で既に説明した構成と共通する構成部等については同一符号を付して説明を省略する。この点については後述する各実施形態においても同様である。
【００２４】
実施形態２のスマートフォン用安全確認装置２００は、監視手段２Ａの影像表示手段２０Ａの構成に特徴がある。
【００２５】
実施形態２の監視手段２Ａの影像表示手段２０Ａは、実施形態１のプリズム２１に代え、両取付壁部３５，３６間の前端部に配設したレンズ２２と、レンズ２２の後部側に傾斜させて配設した鏡２３と、鏡２３の上方部に配設した透明ガラスや透明プラスチック板等よりなる透明窓２４とで構成されている。前記レンズ２２、鏡２３及び透明窓２４は両取付壁部３５，３６に固定して設けてある。
【００２６】
上記構成により、図２（ｂ）に矢印で示すように、レンズ２２を透過した光は鏡２３で反射して透明窓２４から出射する。したがって、前方部側の影像を鏡２３で反射して透明窓２４に表示するように構成してある。他の構成は実施形態１と同様である。
【００２７】
実施形態２のスマートフォン用安全確認装置は上記のように構成され、実施形態１と同様にスマートフォン１の上端部に着脱可能に装着して使用するものである。これにより、実施形態１と同様の作用効果を奏する。
【００２８】
なお、実施形態２のスマートフォン用安全確認装置において、前記レンズ２２として広角レンズを採用できる。また、前記鏡２３として、平面鏡や球面鏡（凸面鏡、凹面鏡）を採用できる。この場合において、鏡として凸面鏡を採用した場合には、レンズ２２を省略することも可能である。
【００２９】
図３は本発明のさらに他の実施形態（実施形態３）のスマートフォン用安全確認装置を示す。実施形態３のスマートフォン用安全確認装置３００は、監視手段２Ｂの影像表示手段２０Ｂの構成に特徴がある。
【００３０】
実施形態３の監視手段２Ｂの影像表示手段２０Ｂは実施形態１のプリズム２１に代え、所望の大きさの透明ガラス球又は透明水晶球よりなる透明球体２５で構成されている。また、実施形態３の取付け手段３は、両前壁部３３，３４の先端から外側方向へ延長して対設し、透明球体２５を挟持して保持させる一対の挟持片３７，３８を備える。両挟持片３７，３８は、球体２５に適合して係合させるように、球体２５と略同一曲率で円弧状に弯曲して構成されている。
【００３１】
そして、透明球体２５（影像表示手段２０）は、両挟持片３７，３８により挟持して保持させ、接着その他の手段で両挟持片に固定して装着されている。これにより、光は透明球体２５の前方部側から入射し、この入射した光は屈折して透明球の後半部側から出射するようになる。したがって、透明球体２５の前方部側の影像は透明球体２５の後半部側の外周面に表示するように構成されている。他の構成は実施形態１と同様である。
【００３２】
実施形態３のスマートフォン用安全確認装置は上記のように構成され、実施形態１と同様にスマートフォン１の上端部に着脱可能に装着して使用される。これにより、実施形態１と同様の作用効果を奏する。
【００３３】
なお、実施形態１〜３の監視手段の装着手段及びスマホ１への取付け手段３は一例として開示したもので、例えばクリップ式その他図示以外の任意の構成に変更可能なものである。この点については後述する各実施形態においても同様である。
【００３４】
図４及び図５は本発明のさらに他の実施形態（実施形態４）を示す。実施形態４のスマートフォン用安全確認装置４００は、スマートフォンケース４の上端部側に装着するように構成されている。
【００３５】
図示のスマートフォンケース４のケース本体４０は、公知の一般的なスマートフォンケースと同様にスマートフォン１の裏面（背面）を覆う裏面壁部４１と、この裏面壁部４１の左右の両側縁から前方に突出した左右の側壁部４２，４３とを備える。前記本体４０は硬質プラスチックやアルミその他の金属板その他の硬質板で構成されている。また、前記本体４０は公知のスマートフォンケースと同様に、所要部にカメラ孔や切欠部（いずれも符号を省略）が設けてある。
【００３６】
而して、図示のスマートフォンケース４は、実施形態１と同様にケース本体４０の両側壁部４２，４３の上端から内側方向に略直角に延設した所定長さの前壁部４４，４５と、両前壁部４４，４５の先端から外側方向へ略直角に延設した所定長さの一対の取付壁部４６，４７とを備える。
【００３７】
実施形態４の監視手段２は実施形態１の監視手段２と同一に構成されている。即ち、監視手段２の影像表示手段２０は透明ガラス製や透明水晶製等のプリズム２１（三角プリズム）で構成されている。そして、影像表示手段２０（プリズム２１）は、実施形態１と同様の形態（姿勢）で両端部を両取付壁部４６，４７で挟持させ、接着その他の手段で両取付壁部に固定して装着されている。これにより、実施形態１と同様にプリズムの前方部側の影像はプリズムの上面の表示部（出射面２１ｂ）に表示されるように構成されている。
【００３８】
実施形態４のスマートフォン用安全確認装置４００は上記のように構成されている。そして、図５（ｂ）に示すように、スマートフォン１をスマートフォンケース４のケース本体４０に着脱可能に装着して使用するものである。これにより、実施形態１と同様の作用効果を奏する。
【００３９】
なお、実施形態４のスマートフォン用安全確認装置において、監視手段の影像表示手段は上述したプラズマ式の影像表示手段２０に代え、実施形態２の影像表示手段２０Ａ（レンズや鏡を利用したもの）や実施形態３の影像表示手段２Ｂ（透明ガラスや透明水晶球等の透明球体を利用したもの）を採用することも勿論可能である。この点については後述する実施形態においても同様である。
【００４０】
図６及び図７は本発明のさらに他の実施形態（実施形態５）を示す。実施形態５のスマートフォン用安全確認装置５００は、手帖型のスマートフォンケース５の上端部側に装着するように構成されている。
【００４１】
手帖型のスマートフォンケース５は、表表紙５０ａ、背表紙５０ｂ及び裏表紙５０ｃを一体かつ一連に連設した手帖型表紙５０を備える。そして、実施形態４の前記スマートフォンケース４のケース本体４０を裏表紙５０ｃの内側面に接着その他の手段で取付けて構成されている。他の構成は実施形態４と同様であるため、同一構成部に同一符号を付して説明を省略する。なお、手帖型表紙５０は、図６（ｂ）に示すように背表紙５０ｂをヒンヂ部として開閉するものである。
【００４２】
実施形態５のスマートフォン用安全確認装置５００は上記のように構成されている。そして、図７に示すようにスマートフォン１をスマートフォンケースのケース本体４０に着脱可能に装着して使用するものである。これにより、実施形態１と同様の作用効果を奏する。
【００４３】
なお、実施形態４及び５においては、監視手段をスマートフォンケースに固定して装着した例を開示したが、着脱可能に装着するように構成しても良いものである。
【００４４】
また、上記した各実施形態のスマートフォン用安全確認装置は一例として開示したもので、本発明は上記実施形態に限定されるものではなく、特許請求の範囲に記載の技術思想を越脱しない範囲内において任意に変更可能なものである。
【符号の説明】
【００４５】
１      スマートフォン
２      監視手段
３      取付け手段
４      スマートフォンケース
２０    影像表示手段
【図１】
2016005177.tif 000003
【図２】
2016005177.tif 000004
【図３】
2016005177.tif 000005
【図４】
2016005177.tif 000006
【図５】
2016005177.tif 000007
【図６】
2016005177.tif 000008
【図７】
2016005177.tif 000009